(57)【要約】【課題】使用者の認証及びオペレーションを手に頼ることなく実行する保全用携帯端末装置を得る。【解決手段】保全用携帯端末装置の使用者の虹彩データを予めユーザ登録データ４に登録しておき、加圧センサー３によって映像表示装置１を使用者が装着したことを検出したとき、映像入力装置２によって、使用者の虹彩データを入力し、ユーザ認証手段５により、この入力された虹彩データとユーザ登録データ４に予め登録された虹彩データを照合することにより、映像表示装置１を装着した使用者を認証するようにした。【選択図】図１
2011086049.tif 000002
【特許請求の範囲】
【請求項１】
使用者の頭部に装着されるヘッドマウントディスプレイを有する保全用携帯端末装置であって、
保全用携帯端末装置の使用者の虹彩データを予め登録したユーザ登録データ、
上記ヘッドマウントディスプレイを上記使用者が装着したことを検出するための装着検出センサー、
上記使用者の瞳の映像が入力されるように構成され、上記装着検出センサーによって上記ヘッドマウントディスプレイの装着が検出された場合に、上記使用者の虹彩データを入力する映像入力装置、
この映像入力装置によって入力された上記虹彩データと上記ユーザ登録データに予め登録された虹彩データとを照合することにより、上記ヘッドマウントディスプレイを装着した使用者を認証するユーザ認証手段を備えたことを特徴とする保全用携帯端末装置。
【請求項２】
使用者の瞳の動きに応じたオペレーションを予め登録した登録オペレーションデータ、
この登録オペレーションデータを参照し、上記映像入力装置によって入力される上記使用者の瞳の動きに応じたオペレーションを実行するオペレーション手段を備えたことを特徴とする請求項１記載の保全用携帯端末装置。
【請求項３】
使用者の頭部の動きに応じたオペレーションを予め登録した登録オペレーションデータ、
上記ヘッドマウントディスプレイを装着した使用者の頭部の動きを検出する加速度センサー、
上記登録オペレーションデータを参照し、上記加速度センサーによって検出された上記使用者の頭部の動きに応じたオペレーションを実行するオペレーション手段を備えたことを特徴とする請求項１記載の保全用携帯端末装置。
【発明の詳細な説明】
【技術分野】
【０００１】
この発明は、不正に使用することを防止するセキュリティー機能と、手に頼ることなくオペレーションを行うオペレーション機能を有する保全用携帯端末装置に関するものである。
【背景技術】
【０００２】
従来のプラント設備の保守点検業務においては、作業者が装着するヘッドマウントディスプレイ、外部入力装置を有する保全用携帯端末と、保全用データサーバが、無線を通じて通信可能にされた保全用端末システムが開示されており、保全用データサーバからデータを受け取り、保全用携帯端末で情報表示を行うことができるようになっている。（例えば、特許文献１、特許文献２参照）
【先行技術文献】
【特許文献】
【０００３】
【特許文献１】特開２００３−８７１９０号公報（第３〜４頁、図１）
【特許文献２】特開２００２−２８７８１５号公報（第１３〜１８頁、図１）
【発明の概要】
【発明が解決しようとする課題】
【０００４】
しかしながら、特許文献１に開示された保全用端末システムでは、保全用携帯端末を使用する作業者は特定されず、不正な第三者により保全用データサーバへのアクセスが可能となってしまう恐れがある。
また、保全用携帯端末のオペレーションは、保全用携帯端末に接続された外部入力装置（例えば、特許文献２参照）を介して行われるので、作業などで両手がふさがっている場合には保全用携帯端末のオペレーションが行えないという問題があった。
【０００５】
この発明は、上述のような課題を解決するためになされたものであり、使用者の認証及びオペレーションを手に頼ることなく実行する保全用携帯端末装置を得ることを目的にしている。
【課題を解決するための手段】
【０００６】
この発明に係わる保全用携帯端末装置においては、使用者の頭部に装着されるヘッドマウントディスプレイを有する保全用携帯端末装置であって、
保全用携帯端末装置の使用者の虹彩データを予め登録したユーザ登録データ、
ヘッドマウントディスプレイを使用者が装着したことを検出するための装着検出センサー、
使用者の瞳の映像が入力されるように構成され、装着検出センサーによってヘッドマウントディスプレイの装着が検出された場合に、使用者の虹彩データを入力する映像入力装置、
この映像入力装置によって入力された虹彩データとユーザ登録データに予め登録された虹彩データとを照合することにより、ヘッドマウントディスプレイを装着した使用者を認証するユーザ認証手段を備えたものである。
【発明の効果】
【０００７】
この発明は、以上説明したように、使用者の頭部に装着されるヘッドマウントディスプレイを有する保全用携帯端末装置であって、
保全用携帯端末装置の使用者の虹彩データを予め登録したユーザ登録データ、
ヘッドマウントディスプレイを使用者が装着したことを検出するための装着検出センサー、
使用者の瞳の映像が入力されるように構成され、装着検出センサーによってヘッドマウントディスプレイの装着が検出された場合に、使用者の虹彩データを入力する映像入力装置、
この映像入力装置によって入力された虹彩データとユーザ登録データに予め登録された虹彩データとを照合することにより、ヘッドマウントディスプレイを装着した使用者を認証するユーザ認証手段を備えたので、手による入力を行うことなく使用者の認証を行うことができる。
【図面の簡単な説明】
【０００８】
【図１】この発明の実施の形態１による保全用携帯端末装置の構成を示すブロック図である。
【図２】この発明の実施の形態１による保全用携帯端末装置の動作を示すフローチャートである。
【図３】この発明の実施の形態２による保全用携帯端末装置の構成を示すブロック図である。
【図４】この発明の実施の形態２による保全用携帯端末装置の動作を示すフローチャートである。
【図５】この発明の実施の形態２による保全用携帯端末装置の移動パターンデータとオペレーション内容を示す図である。
【図６】この発明の実施の形態３による保全用携帯端末装置の構成を示すブロック図である。
【図７】この発明の実施の形態３による保全用携帯端末装置の動作を示すフローチャートである。
【図８】この発明の実施の形態３による保全用携帯端末装置の移動パターンデータとオペレーション内容を示す図である。
【発明を実施するための形態】
【０００９】
実施の形態１．
以下、この発明の実施の形態１を図に基づいて説明する。
図１は、この発明の実施の形態１による保全用携帯端末装置の構成を示すブロック図である。
図１において、映像入力装置２は、小型ＣＣＤカメラなどで構成され、保全用携帯端末装置の使用者の瞳を撮像し、虹彩データを取り込む。加圧センサー３（装着検出センサー）は、保全用携帯端末装置が使用者の頭部に装着されたことを認識する。ユーザ登録データ４は、ユーザ認証手段５で保全用携帯端末装置のユーザ認証を行うために、あらかじめ使用者の個人データ（瞳の虹彩データ）が登録されたデータベースファイルである。ユーザ認証手段５は、加圧センサー３によって保全用携帯端末装置が使用者の頭部に装着されたことを認識したのち、映像入力装置２から入力された保全用携帯端末装置の使用者の瞳の虹彩について、ユーザ登録データ４を参照して登録されたものかどうかにより、ユーザの認証を行う。映像表示装置１は、ヘッドマウントディスプレイであり、ユーザ認証手段５の認証結果を含む映像を表示する。
【００１０】
図２は、この発明の実施の形態１による保全用携帯端末装置の動作を示すフローチャートである。
【００１１】
実施の形態１は、保全用携帯端末装置の使用者の認証に関するものであり、次に、ユーザ認証手段５の動作について、図２のフローチャートを用いて説明する。
保全用携帯端末装置は、加圧センサー３よりユーザが保全用携帯端末装置を装着した際
の圧力データを取り込む（Ｓ１）。圧力データの入力状態を判断（Ｓ２）し、入力があれば、以降の認証処理を行う。入力がなければ、認証開始に戻り、圧力データを取り込み（Ｓ１）、再度認証をやり直す。
圧力データの入力があれば、保全用携帯端末装置は、映像入力装置２から保全用携帯端末装置の使用者の虹彩データを取り込み（Ｓ３）、ユーザ登録データ４から、あらかじめ登録されたユーザの虹彩データを取得し、これらを照合する（Ｓ４）。データが一致しなければ、認証開始に戻り、圧力データを取り込み（Ｓ１）、再度認証をやり直す。一致すれば、認証を完了（Ｓ５）し、保全用携帯端末装置を利用可能な状態にする。
【００１２】
実施の形態１によれば、虹彩データを用いて、手による入力を行うことなく保全用携帯端末装置の作業者認証が行われ、不正な第三者による利用を防止することができる。
【００１３】
実施の形態２．
以下、この発明の実施の形態２を図に基づいて説明する。
図３は、この発明の実施の形態２による保全用携帯端末装置の構成を示すブロック図である。
図３において、映像入力装置２は、小型ＣＣＤカメラなどで構成され、保全用携帯端末装置の使用者の瞳の動きをリアルタイムで取り込む。登録オペレーションデータ７は、瞳の動きに応じた操作（オペレーション）をあらかじめ登録したデータベースファイルである。オペレーション手段６は、登録オペレーションデータ７を参照して、映像入力装置２によってリアルタイムで取り込まれた瞳の動きに応じたオペレーションを実行する。映像表示手段１は、オペレーション手段６により実行されるオペレーションを表示する。
【００１４】
図４は、この発明の実施の形態２による保全用携帯端末装置の動作を示すフローチャートである。
【００１５】
図５は、この発明の実施の形態２による保全用携帯端末装置の移動パターンデータとオペレーション内容を示す図である。
図５において、瞳の動きに応じたオペレーションが示されている。例えば、瞳が左から右へ動けば、ページ前進、右から左へ動けばページ後進、右上から左下へ動けばウィンドウズ（登録商標）クローズ、左上・右下・右上・左下と動けばアプリケーション終了、左上・右上・右下・左下と動けば画面拡大、左下・右下・右上・左上と動けば画面縮小が実行される。
【００１６】
実施の形態２は、保全用携帯端末装置の使用者の瞳の動きによって保全用携帯端末装置のオペレーションを行うようにしたものであり、オペレーション手段６の動作について図４のフローチャートを用いて説明する。
保全用携帯端末装置は、リアルタイムに映像入力装置２より瞳のデータを入力し（Ｓ１１）、まぶたにより瞳が一定期間（１秒以上）遮られ、それを右目→左目と連続して行われたと判断（Ｓ１２）した場合は、映像入力装置２よりリアルタイムで入力（Ｓ１３）された瞳の動きに応じて、映像表示装置１にポインタを表示（Ｓ１４）し、瞳の動きに応じてポインタを移動する。ここで、ポインタを移動する際には軌跡を一定時間表示することとする。まぶたにより瞳が一定期間（１秒以上）遮られ、それを右目→左目と連続して行われたと判断（Ｓ１２）されない場合は、本動作を解除する。
瞳の動きが、登録オペレーションデータ７にあらかじめ登録された移動パターンデータと一致するかどうかを判断し（Ｓ１６）、一致した場合は、登録オペレーションデータ７にあらかじめ登録されたオペレーションを実行し（Ｓ１７）、瞳の動きの入力（Ｓ１３）に戻る。
映像入力装置２よりリアルタイムで入力（Ｓ１３）された瞳が、まぶたにより一定期間（１秒以上）遮られ、それを左目→右目と連続して行われたと判断（Ｓ１５）した場合は
、本動作を解除する。図５に移動パターンデータとオペレーション内容について示す。
【００１７】
実施の形態２によれば、保守用端末装置に対して、外部入力装置を用いずに瞳の動きでオペレーションを行うことができる。
【００１８】
実施の形態３．
以下、この発明の実施の形態３を図に基づいて説明する。
図６は、この発明の実施の形態３による保全用携帯端末装置の構成を示すブロック図である。
図６において、１、２、６、７は図３におけるものと同一のものであり、その説明を省略する。加速度センサー８は、保全用携帯端末装置に備え付けられ、保全用携帯端末装置の使用者の頭部の動きを検出する。図６のオペレーション手段６は、加速度センサー８により検出された保全用携帯端末装置の使用者の頭部の動きに応じたオペレーションを行う。
【００１９】
図７は、この発明の実施の形態３による保全用携帯端末装置の動作を示すフローチャートである。
【００２０】
図８は、この発明の実施の形態３による保全用携帯端末装置の移動パターンデータとオペレーション内容を示す図である。
図８において、頭部の動きに応じたオペレーションが示されている。例えば、頭部が左から右へ動けば、ページ前進、右から左へ動けばページ後進、前から後に動けば画面拡大、後から前に動けば画面縮小が実行される。
【００２１】
実施の形態２では、保全用携帯端末装置を瞳の動きによりオペレーションするものについて述べたが、実施の形態３は、保全用携帯端末装置に備え付けられた加速度センサー８により検出される使用者の頭部の動きに応じたオペレーションを行うようにしたものである。
【００２２】
次に、オペレーション手段６の動作について図７のフローチャートを用いて説明する。
保全用携帯端末装置は、リアルタイムに映像入力装置２より瞳のデータを入力し（Ｓ１１）、まぶたにより瞳が一定期間（１秒以上）遮られ、それを右目→左目と連続して行われたと判断（Ｓ１２）した場合は、映像入力装置２よりリアルタイムで瞳の動きを入力（Ｓ１３）し、さらに、加速度センサー５によりリアルタイムで入力（Ｓ２１）された頭の動きに応じて映像表示装置１に移動方向を表示（Ｓ２２）する。
まぶたにより瞳が一定期間（１秒以上）遮られ、それを右目→左目と連続して行われたと判断（Ｓ１２）されない場合は、本動作を解除する。
映像入力装置２よりリアルタイムで入力（Ｓ１３）された瞳が、まぶたにより一定期間（１秒以上）遮られ、それを左目→右目と連続して行われたと判断（Ｓ１５）した場合は、本動作を解除する。判断されない場合は、頭の動きが、あらかじめ登録された移動パターンデータと一致するかどうかを判断し（Ｓ１６）、一致した場合は、登録されたオペレーションを行い（Ｓ１７）、瞳の動きの入力（Ｓ１３）に戻る。
図８に移動パターンデータとオペレーション内容について示す。
【００２３】
実施の形態３によれば、保守用端末装置に対して外部入力装置を用いずに頭の動きでオペレーションを行うことができる。
【符号の説明】
【００２４】
１  映像表示装置
２  映像入力装置
３  加圧センサー
４  ユーザ登録データ
５  ユーザ認証手段
６  オペレーション手段
７  登録オペレーションデータ
８  加速度センサー
【図１】
2011086049.tif 000003
【図２】
2011086049.tif 000004
【図３】
2011086049.tif 000005
【図４】
2011086049.tif 000006
【図５】
2011086049.tif 000007
【図６】
2011086049.tif 000008
【図７】
2011086049.tif 000009
【図８】
2011086049.tif 000010